(57)【特許請求の範囲】
【請求項１】
第１のアンテナを介して入力される第１の周波数帯域を受信する第１受信部と、
前記第１受信部の入力インピーダンスを低減する第１のダンプ手段と、
第２のアンテナを介して入力される前記第１の周波数帯域より高い第２の周波数帯域を前記第１の周波数帯域に変換する変換手段を有する第２受信部と、
前記第２受信部の入力インピーダンスを低減する第２のダンプ手段と、
前記第１または第２のアンテナから入力される信号の大きさに応じて前記第１および第２のダンプ手段を駆動する電圧供給手段とで構成されるＤＡＢ受信機であって、
前記第１及び第２のダンプ手段は結合手段により直結されると共に、前記第１のダンプ手段は前記第１受信部の直前に設けられ、前記第２のダンプ手段は前記第２受信部の直前に設けられていることを特徴とするＤＡＢ受信機。
【請求項２】
前記第１の周波数帯域の信号は、ＢＡＮＤＩＩＩの信号であり、前記第２の周波数帯域はＬ−ＢＡＮＤの信号であることを特徴とする請求項１に記載のＤＡＢ受信機。
【請求項３】
前記第１及び第２のダンプ手段は、電流値に応じてインピーダンスが減少するＰＩＮダイオードであることを特徴とする請求項１乃至２に記載のＤＡＢ受信機。
【請求項４】
前記電圧供給手段は、前記第１のアンテナから入力される信号の大きさと、当該信号の大きさと異なる前記第２のアンテナから入力される信号の大きさに応じて切り替えられることを特徴とする請求項１乃至３に記載のＤＡＢ受信機。
【請求項５】
前記結合手段は、高周波コイルであることを特徴とする請求項１に記載のＤＡＢ受信機。
【発明の詳細な説明】
【０００１】
【産業上の利用分野】
本発明は、ＤＡＢ（Ｄｉｇｉｔａｌ  Ａｕｄｉｏ  Ｂｒｏａｄｃａｓｔｉｎｇ）受信機に関する。
【０００２】
【従来の技術】
ＤＡＢ放送は、ヨーロッパやカナダまたはシンガポール等において利用されている放送であり、ＢＡＮＤＩＩＩ（１７４〜２４０ＭＨｚ）とＬ−ＢＡＮＤ（１４５２〜１４９２ＭＨｚ）の周波数帯域が使用されている。ＤＡＢ放送を受信するＤＡＢ受信機９は、一般に図４に示すように構成されている。
アンテナ１を介して入力されるＢＡＮＤＩＩＩの信号は、アンテナ同調回路２で選択受信され、増幅器３で増幅された後、ミキサ回路４に供給される。ミキサ回路４は、ＶＣＯ（電圧制御発振器）５から１３６〜２００ＭＨｚの発振周波数が供給されることで、ＢＡＮＤＩＩＩの周波数帯域の信号を３９ＭＨｚの中間周波数に変換している。
【０００３】
一方、アンテナ１を介して入力されるＬ−ＢＡＮＤの周波数帯域の信号は、ＢＰＦ６を介してダウンコンバータ７に供給される。ダウンコンバータ７は、局部発振器８から１２６２ＭＨｚの固定発振周波数が供給されると、Ｌ−ＢＡＮＤの周波数帯域の信号をＢＡＮＤＩＩＩの周波数帯域（１９１〜２２９ＭＨｚ）の信号に変換した後、ミキサ回路４に供給する。ミキサ回路４は、ＶＣＯ５から１５２〜１９０ＭＨｚの発振周波数が供給されることで上記同様に３９ＭＨｚの中間周波数に変換している。
【０００４】
ＤＡＢ受信機９は、一方の周波数帯域の信号を受信する場合は、他方の主要回路の電源をＯＦＦするようにしているので、例えばＬ−ＢＡＮＤの周波数帯域の信号を受信し、これをＢＡＮＤＩＩＩの周波数帯域の信号に変換しても本来のＢＡＮＤＩＩＩの周波数帯域の信号に影響を与えることがない。従って、このように構成されたＤＡＢ受信機９は、家庭内で使用する場合は、何ら問題とならないが、ＤＡＢ受信機９を車載用として用いた場合、以下の状況下で問題が生じる。
【０００５】
図５は、走行中にＢＡＮＤＩＩＩ局とＬ−ＢＡＮＤ局とを共に受信可能な受信エリアに車１０が入った状態を示している。一般に、放送局同士は、近接する周波数帯域の信号を使用する場合は、受信可能エリアが重ならないなように配置されているが、ＢＡＮＤＩＩＩ局とＬ−ＢＡＮＤ局は、全く異なる周波数帯域の信号を使用しているので、図５に示すように、ＢＡＮＤＩＩＩ局の受信エリアとＬ−ＢＡＮＤ局の受信エリアが重なる（図中クロスハッチング部）地域がある。
【０００６】
ＤＡＢ受信機９は、ＢＡＮＤＩＩＩの周波数帯域の信号はそのまま増幅し、Ｌ−ＢＡＮＤの周波数帯域の信号は一旦ＢＡＮＤＩＩＩの周波数帯域と同じ周波数帯域の信号に変換するように構成しているが、上述したようにＢＡＮＤＩＩＩの周波数帯域の信号を受信する時はダウンコンバータ７等主要回路の電源をＯＦＦし、Ｌ−ＢＡＮＤ帯域の信号を受信する時は増幅器３等主要回路の電源をＯＦＦしているので、通常は問題とならない。しかし、車１０に搭載したＤＡＢ受信機９で例えばＬ−ＢＡＮＤ局を受信している時に、車１０がＢＡＮＤＩＩＩ局の近傍を走行すると、ＢＡＮＤＩＩＩ局の送信電力が強い場合は、増幅器３等主要回路の電源がＯＦＦされているにもかかわらず、アンテナ１を介して入り込んだＢＡＮＤＩＩＩ局の信号がミキサ回路４に飛び込み、ダウンコンバータ７で変換された周波数との間で混信妨害を発生するとうい問題がある。
【０００７】
【発明が解決しようとする課題】
本発明は、上記課題に鑑み成されたものであり、簡単な構成で混信妨害を低減することができるＤＡＢ受信機を提供することにある。
【０００８】
【課題を解決するための手段】
上記課題を解決するため請求項１記載の発明に係るＤＡＢ受信機は、第１のアンテナを介して入力される第１の周波数帯域を受信する第１受信部と、第１受信部の入力インピーダンスを低減する第１のダンプ手段と、第２のアンテナを介して入力される第１の周波数帯域より高い第２の周波数帯域を第１の周波数帯域に変換する変換手段を有する第２受信部と、第２受信部の入力インピーダンスを低減する第２のダンプ手段と、第１または第２のアンテナから入力される信号の大きさに応じて第１及び第２のダンプ手段を駆動する電圧供給手段とで構成されるＤＡＢ受信機であって、第１及び第２のダンプ手段は結合手段により直結されると共に、第１のダンプ手段は第１受信部の直前に設けられ、第２のダンプ手段は第２受信部の直前に設けられていることを特徴とする。
【０００９】
請求項２記載の発明に係るＤＡＢ受信機は、請求項１に記載のＤＡＢ受信機であって、第１の周波数帯域の信号は、ＢＡＮＤＩＩＩの信号であり、第２の周波数帯域はＬ−ＢＡＮＤの信号であることを特徴とする。
【００１０】
請求項３記載の発明に係るＤＡＢ受信機は、請求項１乃至２に記載のＤＡＢ受信機であって、第１及び第２のダンプ手段は、電流値に応じてインピーダンスが減少するＰＩＮダイオードであることを特徴とする。
【００１１】
請求項４記載の発明に係るＤＡＢ受信機は、請求項１乃至３に記載のＤＡＢ受信機であって、電圧供給手段は、第１のアンテナから入力される信号の大きさと、当該信号の大きさと異なる第２のアンテナから入力される信号の大きさに応じて切り替えられることを特徴とする。
【００１２】
請求項５記載の発明に係るＤＡＢ受信機は、請求項１に記載のＤＡＢ受信機であって、結合手段は、高周波コイルであることを特徴とする。
【００１３】
本発明のＤＡＢ受信機は、第１のアンテナを介して入力されるＢＡＮＤＩＩＩを受信する第１受信部と、第１受信部の入力インピーダンスを低減する第１のダンプ手段と、第２のアンテナを介して入力されるＢＡＮＤＩＩＩより高いＬ−ＢＡＮＤをＢＡＮＤＩＩＩの周波数帯域に変換する変換手段を有する第２受信部と、第２受信部の入力インピーダンスを低減する第２のダンプ手段と、第１または第２のアンテナから入力される信号の大きさに応じて第１及び第２のダンプ手段を駆動する電圧供給手段とで構成されるＤＡＢ受信機であって、第１及び第２のダンプ手段は結合手段により直結されると共に、第１のダンプ手段は第１受信部の直前に設けられ、第２のダンプ手段は第２受信部の直前に設けられているので、第２のアンテナから入力される大きなＬ−ＢＡＮＤの信号を受信すると、電圧供給手段により第２のダンプ手段が駆動されると共に、結合手段を介して第１受信部の直前に設けられた第１のダンプ手段が駆動され、第１のアンテナが第１のダンプ手段のインピーダンスによりダンプされ、混信妨害が防止される。
【００１４】
【発明の実施の形態】
本発明の実施形態のＤＡＢ受信機の要部回路ブロックを図１に示す。図を参照しつつ以下に回路ブロックの構成及び動作を説明する。
本発明のＤＡＢ受信機５０は、第１の周波数帯域であるＢＡＮＤＩＩＩの信号を受信する第１のアンテナ２０と、第１のアンテナから入力する信号を増幅する第１受信部２１と、第１受信部２１の入力インピーダンスを低減する第１のダンプ手段２２と、第２の周波数帯域であるＬ−ＢＡＮＤの信号を受信する第２のアンテナ２３と、第２のアンテナ２３から入力されるＬ−ＢＡＮＤの信号をＢＡＮＤＩＩＩの周波数帯域に変換（以下、これを変換Ｌ−ＢＡＮＤと記す）する変換手段を有する第２受信部２４と、第２受信部２４の入力インピーダンスを低減する第２のダンプ手段２５と、第１のダンプ手段２２と第２のダンプ手段２５を結合する結合手段２６と、第１または第２のアンテナ２０、２３から入力される信号の大きさに応じて第１及び第２のダンプ手段２２、２５を駆動する電圧供給手段２７と、ＢＡＮＤＩＩＩ及び変換Ｌ−ＢＡＮＤの信号を中間周波数に変換するミキサ（ＭＩＸ）回路２９と、ＰＬＬ回路２８とで構成している。
【００１５】
上記第１のダンプ手段２２は、第１のアンテナ２０とアース間に設けられ、
直列接続された直流阻止コンデンサＣ１とＰＩＮダイオードＤ２とで構成している。ＰＩＮダイオードＤ２は、順方向電流の大きさに応じてインピーダンスが低下する高周波用ダイオードであり、後述する電圧供給手段２７から電圧が供給されるとＰＩＮダイオードＤ２が順方向にバイアスされ、ＰＩＮダイオードＤ２のインピーダンスが低下する。つまり、第１のダンプ手段２２は、第１受信部２１の入力インピーダンスをＰＩＮダイオードＤ２のインピーダンスでダンプ（短絡）する回路である。
【００１６】
第１受信部２１は、第１のアンテナ２０から入力されるＢＡＮＤＩＩＩの周波数帯域の信号ＡＳＩＩＩの内、所望の局の中心周波数に同調するアンテナ同調回路２１ａと、電圧供給手段２７から供給される電圧の大きさに応じて利得が変化するデュアルゲートＭＯＳＦＥＴ等で構成するＡＧＣアンプ２１ｂと、増幅された高周波信号ＲＦＳに同調する高周波同調回路２１ｃとで構成している。
アンテナ同調回路２１ａと高周波同調回路２１ｃは、印加電圧の大きさで容量値が変化する可変容量ダイオードとコイル等で構成される並列共振回路であり、後述するＰＬＬ回路２８から直流の制御電圧ＣＶが供給されると、制御電圧ＣＶに応じてアンテナ同調回路２１ａと高周波同調回路２１ｃの共振周波数が上記ＢＡＮＤＩＩＩの周波数帯域の範囲内で変化される。即ち、アンテナ同調回路２１ａと高周波同調回路２１ｃは、ＢＡＮＤＩＩＩの信号ＡＳＩＩＩの中から、所望の局の周波数だけを選択し、受信するための回路である。
【００１７】
ＰＬＬ回路２８は、ＶＣＯ２８ａと、図示しない分周器と位相比較器と基準発振器とＬＰＦとで構成され、電圧で制御されるＶＣＯ２８ａの発振周波数を分周器で分周した時の周波数の位相と、高精度で発振する基準発振器の位相とを位相比較器で比較し、位相差に応じで位相比較器から出力される制御電圧ＣＶでＶＣＯ２８ａの発振周波数を制御することで、ＶＣＯ２８ａの発振周波数を基準発振器の精度で制御する回路である。従って、ＶＣＯ２８ａは、基準発振器の発振周波数の整数倍の発振周波数（例えば１．７１２ＭＨｚ）毎に制御される。
【００１８】
ミキサ回路２９は、２つの異なる周波数を混合することで発生する２つの周波数の和と差の周波数の内、どちらか一方の周波数を抽出する回路であり、ＰＬＬ回路２８を構成するＶＣＯ２８ａから供給される発振周波数と、高周波同調回路２１ｃから出力される高周波信号ＲＦＳとを混合し、例えば差の周波数を抽出することで、以下に示す関係式で中間周波数ＩＦに変換される。
ＢＡＮＤＩＩＩの周波数帯域（１７４．９２８〜２３９．２００ＭＨｚ）
−ＶＣＯ２８ａの発振周波数（１３６．０１６〜２００．２８８ＭＨｚ）
＝中間周波数（３８．９１２ＭＨｚ）・・・（１）
【００１９】
従って、ＢＡＮＤＩＩＩの周波数帯域の内、例えば１７４．９２８ＭＨｚの局を受信する場合、ＰＬＬ回路２８は、アンテナ同調回路２１ａ及び高周波同調回路２１ｃを１７４．９２８ＭＨｚの周波数に同調すべく制御電圧ＣＶを供給し、かかる制御電圧ＣＶによりＶＣＯ２８ａは、１３６．０１６ＭＨｚの周波数を発振する。そしてミキサ回路２９は、２つの周波数（１７４．９２８ー１３６．０１６ＭＨｚ）の差の周波数である第１中間周波数（３８．９１２ＭＨｚ）ＩＦを出力する。
【００２０】
一方、第２のアンテナ２３とアース間に設けられた第２のダンプ手段２５は、第１のダンプ手段２２と同様にＰＩＮダイオードＤ３で構成され、第１のダンプ手段２２のＰＩＮダイオードＤ２と結合手段２６である高周波コイルＬ１により直結されている。従って、第１のダンプ手段２２のＰＩＮダイオードＤ２が順方向バイアスされると第２のダンプ手段２５のＰＩＮダイオードＤ３も同時に順方向にバイアスされる。
結合手段２６は、高周波インピーダンスが高く直流抵抗が小さい高周波コイルＬ１で構成することにより第１のアンテナ２０と第２のアンテナ２３とのアイソレーション（分離）を高めると共に、電圧供給手段２７から供給される電圧降下を小さく抑えることができる。
【００２１】
また、第２受信部２４は、第２のアンテナ２３から入力されるＬ−ＢＡＮＤの周波数帯域（１４５２．９６０〜１４９０．６２４ＭＨｚ）の信号ＡＳＬを通過させるＢＰＦ２４ａと、ＰＬＬ回路、ＡＧＣアンプ、ミキサ回路等を内蔵した変換手段であるダウンコンバータ２４ｂと、固定周波数を発振するＶＣＯ２４ｃと、ＡＧＣ回路２４ｄとで構成している。
上記ＰＬＬ回路は、上述したＰＬＬ回路２８と同様に構成され、ＶＣＯ２４ｃの発振周波数を分周器で分周した時の周波数の位相と、高精度で発振する基準発振器の周波数を分周した時の周波数の位相とを位相比較器で比較し、位相差に応じで位相比較器から出力される制御電圧でＶＣＯ２４ｃの発振周波数を制御するようにしている。従って、ＶＣＯ２４ｃは、固定周波数の発振器であるが、基準発振器の周波数を分周した時の周波数の精度で制御されている。
【００２２】
第２のアンテナ２３から入力されるＬ−ＢＡＮＤの信号ＡＳＬは、ＢＰＦ２４ａを介してダウンコンバータ２４ｂに供給され、内蔵されたミキサ回路でＶＣＯ２４ｃの発振周波数（１２６１．５６８ＭＨｚ）と混合され、Ｌ−ＢＡＮＤの信号ＡＳＬがＢＡＮＤＩＩＩの周波数帯域である変換Ｌ−ＢＡＮＤ（１９１．３９２〜２２９．０５６ＭＨｚ）の信号ＤＣＳに変換され、ミキサ回路２９に供給される。
【００２３】
ＰＬＬ回路２８は、Ｌ−ＢＡＮＤの信号ＤＣＳを受信する場合は、ＶＣＯ２８ａの発振周波数をＢＡＮＤＩＩＩの時と異なる発振周波数（１５２．４８０〜１９０．１４４ＭＨｚ）に変更することで、上述したＢＡＮＤＩＩＩの受信時と同様の第１中間周波数ＩＦが出力される。
また、上記電圧供給手段２７は、ミキサ２９から出力される中間周波数ＩＦの信号（中間周波信号）ＩＦＳを検出し、その中間周波信号ＩＦＳの出力レベルＩＦＶに応じて直流電圧を出力するＡＧＣ回路２７ａと、ＡＧＣ回路２７ａが出力するＡＧＣ電圧に対して予め設定された閾値以下の電圧の場合に抵抗Ｒ１とダイオードＤ１を介して第１及び第２のダンプ手段２２、２５にスイッチ電圧ＳＶを出力するレベルコンパレータ２７ｂと、レベルコンパレータ２７ｂに予め設定された閾値を切り替える閾値電圧切替回路２７ｃとで構成している。
【００２４】
上記ＡＧＣ回路２７ａは、中間周波信号ＩＦＳの出力レベルＩＦＶを検波し、得られた直流電圧を例えば図示しないトランジスタのベースに供給し、該トランジスタのコレクタ電圧をＡＧＣ電圧として出力するように構成しているので、アンテナから入力される信号が小さい場合、即ち、中間周波信号ＩＦＳの出力レベルＩＦＶが小さい場合は、一定のＡＧＣ電圧（例えば５Ｖ）を出力するが、アンテナから入力される信号が大きくなり、中間周波信号ＩＦＳの出力レベルＩＦＶが大きくなるとアンテナから入力される信号の大きさに応じて徐々にＡＧＣ電圧が低下するように動作する。尚、アンテナ入力電圧とＡＧＣ電圧との関係は後述する。
【００２５】
上述したＡＧＣアンプ２１ｂは、デュアルゲートＭＯＳＦＥＴの一方のゲート端子にＡＧＣ電圧が供給されるので、アンテナから入力される信号が小さい時は、高いＡＧＣ電圧が供給され、最大の利得で動作する。また、アンテナから入力される信号が大きくなると、ＡＧＣ電圧が低下し、これに伴ってゲート端子の電圧が低下するので、ＡＧＣアンプ２１ｂの利得はアンテナから入力される信号の大きさに応じて徐々に低下する。
【００２６】
また、レベルコンパレータ２７ｂは、ＡＧＣ電圧が予め設定した閾値以下になった時に第１及び第２のダンプ手段２２、２５に駆動電圧ＳＶを出力する回路であり、アンテナから入力される信号が大きくなり、ＡＧＣアンプ２１ｂの利得がほぼゼロになると、更にアンテナから入力される信号に対して動作するように閾値が設定されている。
また、閾値電圧切替回路２７ｃは、ＢＡＮＤＩＩＩの受信時と、Ｌ−ＢＡＮＤの受信時に、レベルコンパレータ２７ｂに予め設定された異なる閾値を切り替えるために設けられている。
【００２７】
次に、ＤＡＢ受信機５０の全体の動作を図１乃至図３を用いて説明する。
図２は、欧州やシンガポールで運用されているＤＡＢ放送局の周波数一覧表であり、図２（ａ）に示すＢＡＮＤＩＩＩとＬ−ＢＡＮＤの周波数帯域と、図２（ｂ）に示す変換Ｌ−ＢＡＮＤの周波数帯域を示した。ＤＡＢ放送は、ＢＡＮＤＩＩＩ局として、中心周波数が１７４．９２８から２３９．２００ＭＨｚまでの周波数帯域を１．７１２ＭＨｚ毎に３７チャネルで構成され、各中心周波数に周波数ラベル（５Ａ〜１３Ｆ）が設けられている。また、Ｌ−ＢＡＮＤ局として、中心周波数が１４５２．９６０から１４９０．６２４ＭＨｚまでの周波数帯域を上記ＢＡＮＤＩＩＩ局と同様に１．７１２ＭＨｚ毎に２３チャネルで構成され、各中心周波数に周波数ラベル（Ｌ１〜Ｌ２３）が設けられている。
【００２８】
ＤＡＢ受信機５０は、操作者により上記周波数ラベルを図示せぬ操作部から入力されることで、選局が行われる。例えば、使用者がＤＡＢ受信機５０の操作部からＢＡＮＤＩＩＩの「７Ｂ」の周波数ラベルを入力した場合を例に説明する。ＣＰＵ３０は、操作部から「７Ｂ」が入力されると、ＢＡＮＤＩＩＩの第１受信部２１の電源をＯＮにすると共に、Ｌ−ＢＡＮＤの第２受信部２４の電源をＯＦＦする。次いで、ＣＰＵ３０は、「７Ｂ」の周波数を受信すべく、ＰＬＬ回路２８を制御する。ＰＬＬ回路２８は、ＣＰＵ３０の制御信号に基づき、アンテナ同調回路２１ａ、高周波同調回路２１ｃ及びＶＣＯ２８ａに対して制御電圧ＣＶを供給する。アンテナ同調回路２１ａ、高周波同調回路２１ｃ及びＶＣＯ２８ａは、
制御電圧ＣＶに基づき予め上記（１）式で示す関係に調整（トラッキング）されているので、アンテナ同調回路２１ａと高周波同調回路２１ｃは、上記制御電圧ＣＶにより「７Ｂ」の中心周波数（１９０．６４０ＭＨｚ）に同調され、ＶＣＯ２８ａは、中間周波数（３８．９１２ＭＨｚ）に変換するに必要となる発振周波数（１５１．７２８ＭＨｚ）を発振する。
【００２９】
第１のアンテナ２０から入力したＢＡＮＤＩＩＩの信号ＡＳＩＩＩは、アンテナ同調回路２１ａで「７Ｂ」の中心周波数だけが選択されＡＧＣアンプ２１ｂに供給される。ＡＧＣアンプ２１ｂで増幅された高周波信号ＲＦＳは、高周波同調回路２１ｃで更に選択されてミキサ回路２９に供給される。ミキサ回路２９は、供給される２つの周波数の和差の周波数を抽出する回路であり、高周波同調回路２１ｃから供給される「７Ｂ」の中心周波数（１９０．６４０ＭＨｚ）と、ＶＣＯ２８ａから供給される発振周波数（１５１．７２８ＭＨｚ）の、例えば差の周波数を中間周波数（３８．９１２ＭＨｚ）として出力する。
【００３０】
図３は、ＤＡＢ受信機５０で所望の局を受信した時、アンテナから入力される信号ＡＳＩＩＩの大きさ、即ちアンテナ入力電圧に対する出力レベルＩＦＶとＡＧＣ電圧との関係を示したもので、横軸にアンテナ入力電圧を、縦軸に出力レベルＩＦＶとＡＧＣ電圧を示した。ここで、アンテナ入力電圧に対する出力レベルＩＦＶとの関係を示す特性を入出力特性（Ａ）、またアンテナ入力電圧に対するＡＧＣ電圧との関係を示す特性をＡＧＣ特性（Ｂ）と呼ぶことにする。
【００３１】
先ず、図３に示す入出力特性（Ａ）において、アンテナ入力電圧が小さい領域（図中（イ）の領域）では、アンテナ入力電圧に対して出力レベルＩＦＶは、ほぼ直線的に増加する。
一方、ＡＧＣ電圧は、図中（イ）の領域ではアンテナ入力電圧に対してほぼ一定の電圧を出力する。しかし、アンテナ入力電圧が（イ）の領域を越えるとＡＧＣ電圧は徐々に低下し、ＡＧＣアンプ２１ｂの利得を徐々に減少させる。
【００３２】
つまり、出力レベルＩＦＶは、アンテナ入力電圧が小さい領域ではアンテナ入力電圧に対して直線的に増加するが、アンテナ入力電圧が大きくなると、これに伴いＡＧＣアンプ２１ｂの利得が略直線的に低下するので、アンテナ入力電圧が図中（ロ）で示す領域以上の信号に対してはほぼ一定の出力レベルＩＦＶを出力する。また、アンテナ入力電圧が更に大きくなり、入出力特性の例えば（ハ）の領域になると、ＡＧＣ電圧が低下してもＡＧＣアンプ２１ｂの利得が低下しない領域に入り、図中点線矢印で示すように出力レベルＩＦＶが再び上昇する。
【００３３】
図中（ハ）の領域は、アンテナに供給される信号が中強電界の場合に相当し、ＡＧＣアンプ２１ｂで減衰できなかった高周波信号ＲＦＳがミキサ回路２９のダイナミックレンジを越える領域であり、混信妨害等が発生しやすい動作領域となる。そこで、本発明のＤＡＢ受信機５０は、アンテナ入力電圧が（ハ）の領域以上になった時に出力されるＡＧＣ電圧（図中（ニ）の電圧）を用いてレベルコンパレータ２７ｂをＯＮさせ、第１及び第２のダンプ手段２２、２５にスイッチ電圧ＳＶを供給するようにしている。
【００３４】
即ち、レベルコンパレータ２７ｂは、予め設定されたＡＧＣ電圧の（ニ）点の電圧が供給されると、第１のダンプ手段２２に対してスイッチ電圧ＳＶを供給する。抵抗Ｒ１及びダイオードＤ１を介して供給されるスイッチ電圧ＳＶは、第１のダンプ手段２２を構成するＰＩＮダイオードＤ２をＯＮすると共に、結合手段２６である高周波コイルＬ１を介して第２のダンプ手段２５を構成するＰＩＮダイオードＤ３をＯＮする。２つのＰＩＮダイオードＤ２、Ｄ３は、レベルコンパレータ２７ｂからスイッチ電圧ＳＶが供給されることで、順方向バイアスされてインピーダンスが低下し、第１及び第２受信部２１、２４の入力インピーダンスを低減する。第１のアンテナ２０から入力されたＢＡＮＤＩＩＩの信号ＡＳＩＩＩは、ＰＩＮダイオードＤ２のインピーダンスの低下に伴い、減衰されアンテナ同調回路２１ａに供給されることとなり、（ハ）領域以上のアンテナ入力電圧に対しても出力レベルＩＦＶを一定にすることができる。
【００３５】
次に、操作者によりＬ−ＢＡＮＤの例えば、「Ｌ１」の周波数ラベルが入力された場合を例に説明する。
ＣＰＵ３０は、操作部から「Ｌ１」が入力されると、ＢＡＮＤＩＩＩの第１受信部２１の電源をＯＦＦにすると共に、Ｌ−ＢＡＮＤの第２受信部２４の電源をＯＮにする。また、ＣＰＵ３０は、操作部から「Ｌ１」が入力されると、後述する変換Ｌ−ＢＡＮＤの信号ＤＣＳを中間周波数ＩＦに変換するため、ＰＬＬ回路２８を制御して変換Ｌ−ＢＡＮＤの信号ＤＣＳを中間周波数ＩＦに変換するに必要なＶＣＯ２８ａの発振周波数（１５２．４８０〜１９０．１４４ＭＨｚ）の範囲に変更する。
【００３６】
第２のアンテナ２３から入力されたＬ−ＢＡＮＤの信号ＡＳＬは、ＢＰＦ２４ａを介してダウンコンバータ２４ｂに供給される。そして、Ｌ−ＢＡＮＤの信号ＡＳＬは、以下に示す関係式で変換Ｌ−ＢＡＮＤの信号ＤＣＳに変換され出力される。
Ｌ−ＢＡＮＤ（１４５２．９６０〜１４９０．６２４ＭＨｚ）
−固定発振周波数（１２６．５６８ＭＨｚ）
＝変換Ｌ−ＢＡＮＤ（１９１．３９２〜２２９．０５６ＭＨｚ）・・・（２）
【００３７】
上記変換Ｌ−ＢＡＮＤ（１９１．３９２〜２２９．０５６ＭＨｚ）の信号ＤＣＳは、ミキサ回路２９でＶＣＯ２８ａの発振周波数（１５２．４８０〜１９０．１４４ＭＨｚ）と混合され、中間周波数に変換されるが、操作部から「Ｌ１」が入力されているので、ＣＰＵ３０の制御に基づき、ＰＬＬ回路２８は、「Ｌ１」の周波数（１９１．３９２ＭＨｚ）を中間周波数に変換するに必要な発振周波数（１５２．４８０ＭＨｚ）をＶＣＯ２８ａで発振させて出力する。従って、ＤＡＢ受信機５０は、Ｌ−ＢＡＮＤの周波数帯域の内、周波数ラベルが「Ｌ１」の局だけを選択受信することができる。
【００３８】
上述したように、Ｌ−ＢＡＮＤを受信する場合は、ダウンコンバータ２４ｂに内蔵されたＡＧＣ回路２４ｄが動作し、図３に示すようにＢＡＮＤＩＩＩの時と同様に入出力特性とＡＧＣ特性が得られる。また、Ｌ−ＢＡＮＤの受信時、ＢＡＮＤＩＩＩの第１受信部２１は、電源がＯＦＦされているが電圧供給手段２７は、動作しているので、上記（ハ）の領域以上のアンテナ入力電圧ではＢＡＮＤＩＩＩの受信時と同様にＡＧＣ回路２７ａのＡＧＣ電圧によりレベルコンパレータ２７ｂが動作し、第１及び第２のダンプ手段２２、２５が駆動される。
しかし、ＤＡＢ受信機５０は、ＢＡＮＤＩＩＩとＬ−ＢＡＮＤで夫々異なる受信部で構成しているので、ＢＡＮＤＩＩＩとＬ−ＢＡＮＤが同一の入出力特性を示さない場合がある。この場合、ミキサ回路２９が混信妨害等が発生しやすい動作領域がＢＡＮＤＩＩＩとＬ−ＢＡＮＤで異なる。
【００３９】
そこで、本発明のＤＡＢ受信機５０は、閾値電圧切替回路２７ｃを用いて第１及び第２のダンプ手段２２、２５を駆動するレベルコンパレータ２７ｂの閾値を切り替えるようにしている。例えば、Ｌ−ＢＡＮＤの信号を受信する時は、図３に示すＡＧＣ特性の図中（ニ）の位置で第１及び第２のダンプ手段２２、２５を駆動し、ＢＡＮＤＩＩＩの信号を受信する場合は、図中（ホ）の位置で第１及び第２のダンプ手段２２、２５を駆動するようにしている。
このように構成することで、ＢＡＮＤＩＩＩの受信時とＬ−ＢＡＮＤの受信時でほぼ同一の受信品質が得られる。
【００４０】
本発明のＤＡＢ受信機５０は、車載用として用いられた場合、図５に示したようにＢＡＮＤＩＩＩ局の受信エリアとＬ−ＢＡＮＤ局の受信エリアが重なる地域において、第１のアンテナ２０から入力されるＢＡＮＤＩＩＩの周波数帯域の内、例えば「７Ｂ」の周波数（１９０．６４０ＭＨｚ）と「７Ｃ」の周波数（１９２．３５２ＭＨｚ）が共に、「Ｌ１」の変換Ｌ−ＢＡＮＤの周波数（１９１．３９２ＭＨｚ）に混信妨害を与える対象となる。
ＤＡＢ放送は、中心周波数に対して±７５０ｋＨｚの帯域を有する信号なので、例えばＢＡＮＤＩＩＩの「７Ｂ」の周波数（１９０．６４０ＭＨｚ）と「Ｌ１」の変換Ｌ−ＢＡＮＤの周波数（１９１．３９２ＭＨｚ）を比較すると、周波数の差は７５２ｋＨｚとなり、互いの周波数帯域が混合され混信妨害を生じる。
【００４１】
また、同様に、ＢＡＮＤＩＩＩの「１１Ｃ」の周波数（２２０．３５２ＭＨｚ）と「Ｌ１８」の変換Ｌ−ＢＡＮＤの周波数（２２０．４９６ＭＨｚ）を比較すると、周波数の差は１４４ｋＨｚとなり、完全に混信妨害が生じる。このように、
図２（ａ）に示すＢＡＮＤＩＩＩの周波数と、図２（ｂ）に示す変換Ｌ−ＢＡＮＤの周波数の関係から分かるように、変換Ｌ−ＢＡＮＤの帯域内にＢＡＮＤＩＩＩの周波数が入り込む局が多数存在する。
【００４２】
しかし、本発明のＤＡＢ受信機５０は、Ｌ−ＢＡＮＤ受信時に、混信妨害を発生するアンテナ入力電圧（図中（ハ）の点）以上のアンテナ入力電圧がある場合、第２のダンプ手段２５が駆動されると共に、結合手段２６を介して第１のダンプ手段２２のＰＩＮダイオードＤ２がＯＮ状態になる。従って、第１のアンテナ２０は、ＰＩＮダイオードＤ２の低インピーダンスでダンプされると共に、第１のアンテナ２０から入力されたＢＡＮＤＩＩＩの信号は、第１受信部２１の直前に設けられた第１のダンプ手段２２によりアース電位に短絡されるので、ミキサ回路２９等にＢＡＮＤＩＩＩの信号が飛び込み混信妨害を与えることがない。
【００４３】
尚、本発明の実施形態によるＤＡＢ受信機５０は、第１のアンテナ２０と第２のアンテナ２３で構成したが、ＢＡＮＤＩＩＩとＬ−ＢＡＮＤを１本の共通アンテナで構成しても同様の効果が得られる。また、第１及び第２のダンプ手段２２、２５は、ＰＩＮダイオードＤ２、Ｄ３で構成したが、高周波用のスイッチ素子で構成しても良い。
【００４４】
【発明の効果】
本発明によれば、簡単な構成で混信妨害を低減することができる。
【図面の簡単な説明】
【図１】本発明の実施形態のＤＡＢ受信機の要部回路ブロックを示す図。
【図２】欧州及びシンガポールで運用されているＤＡＢ放送の周波数一覧を示す表。
【図３】ＤＡＢ受信機のアンテナ入力電圧に対する出力レベルとＡＧＣ電圧の関係を示す図。
【図４】従来例におけるＤＡＢ受信機の要部回路ブロックを示す図。
【図５】ＢＡＮＤＩＩＩとＬ−ＢＡＮＤの受信エリアを示す図。
【符号の説明】
２０・・・第１のアンテナ
２１・・・第１受信部
２２・・・第１のダンプ手段
２３・・・第２のアンテナ
２４・・・第２受信部
２５・・・第２のダンプ手段
２６・・・結合手段
２７・・・電圧供給手段
２８・・・ＰＬＬ回路
２９・・・ミキサ回路
３０・・・ＣＰＵ
【図１】
0003591704.tif 000002
【図２】
0003591704.tif 000003
【図３】
0003591704.tif 000004
【図４】
0003591704.tif 000005
【図５】
0003591704.tif 000006